(57)【要約】【課題】簡素な構造で、ペットに冷感または温感を与えるマット本体の過冷却または過熱を抑制できるとともにユーザーの希望に応じた機能を容易に付加できるペット用マットを提供する。【解決手段】ペット用マット１は、熱伝導性を有するマット本体４と、マット本体を支持する筐体１１と、筐体内に空気を供給する給気装置５と、筐体に設けられた機能付加部材保持部１３ｅとを備える。筐体は、マット本体の下方に配置された空気通路１２ｍ〜１２ｒと、空気通路の一端と筐体外の空間とを連通させる吸気孔１４と、空気通路の他端と筐体外の空間とを連通させる排気孔１５とを有する。給気装置は、筐体外の空気を吸気孔から吸入して空気通路に供給するとともに排気孔から排出する。空気通路は給気装置が吸入した空気をマット本体に接するように案内する。機能付加部材保持部は空気通路に供給される空気に所定の機能を付加する機能付加部材１６を着脱可能に保持する。【選択図】図６
2016093137.tif 000002
【特許請求の範囲】
【請求項１】
熱伝導性を有するマット本体（４）と、
前記マット本体（４）を支持する筐体（１１）と、
前記筐体（１１）内に空気を供給する給気装置（５）と、
前記筐体（１１）に設けられた機能付加部材保持部（１３ｅ）と、
を備え、
前記筐体（１１）は、
前記マット本体（４）の下方に配置された空気通路（１２ｍ〜１２ｒ）と、
前記空気通路（１２ｍ〜１２ｒ）の一端と前記筐体（１１）外の空間とを連通させる吸気孔（１４）と、
前記空気通路（１２ｍ〜１２ｒ）の他端と前記筐体（１１）外の空間とを連通させる排気孔（１５）と、
を有し、
前記給気装置（５）は、前記筐体（１１）外の空気を前記吸気孔（１４）から前記筐体（１１）内に吸入して前記空気通路（１２ｍ〜１２ｒ）に供給するとともに、前記排気孔（１５）を介して前記筐体（１１）外に排出し、
前記空気通路（１２ｍ〜１２ｒ）は、前記給気装置（５）から供給される空気を前記マット本体（４）に接するように案内し、
前記機能付加部材保持部（１３ｅ）は、前記空気通路（１２ｍ〜１２ｒ）に供給される空気に所定の機能を付加する機能付加部材（１６）を着脱可能に保持する、
ことを特徴とするペット用マット。
【請求項２】
前記機能付加部材保持部（１３ｅ）は、前記マット本体（４）の一側方に配置されていることを特徴とする請求項１に記載のペット用マット。
【請求項３】
前記給気装置（５）は、前記マット本体の一側方に配置されていることを特徴とする請求項１又は請求項２に記載のペット用マット。
【請求項４】
前記筐体（１１）は、上面が開口した凹部（１２ｓ）と、前記凹部（１２ｓ）の底面に立設されたリブ（１２ｅ〜１２ｋ）とを有し、
前記リブ（１２ｅ〜１２ｋ）は、前記マット本体（４）の下面を受け止め支持するとともに、前記マット本体（４）の下面と前記凹部（１２ｓ）の内面との間に複数の前記空気通路（１２ｍ〜１２ｒ）を区画形成していることを特徴とする請求項１乃至請求項３のいずれか１項に記載のペット用マット。
【請求項５】
前記マット本体（４）の上面を覆うとともに熱伝導性を有する柔軟なカバーを備えていることを特徴とする請求項１乃至請求項４のいずれか１項に記載のペット用マット。
【発明の詳細な説明】
【技術分野】
【０００１】
本発明は、ペット用マットに関するものである。
【背景技術】
【０００２】
特許文献１には、犬や猫等のペットに冷感又は温感を与えるペット用マットが開示されている。このペット用マットは、熱伝導性を有するマット本体と、マット本体を支持する筐体と、マット本体を冷却又は加熱する熱電変換素子と、熱電変換素子に熱的に接続された放熱フィンと、筐体外の空気を筐体内に吸入する送風機と、マット本体の温度を検知する温度センサと、温度センサが検知した温度に基づいて熱電変換素子と送風機を制御する制御回路とを備えている。
【０００３】
筐体は、放熱フィンの下方に配置された空気通路と、空気通路の一端と筐体外の空間とを連通させる吸気孔と、空気通路の他端と筐体外の空間とを連通させる排気孔とを有している。空気通路は、送風機が吸入した空気を放熱フィンに接するように案内する。
スイッチをＯＮにすると、熱電変換素子に通電され、熱電変換素子がマット本体を冷却又は加熱する。これと同時に送風機が駆動され、筐体外の空気が吸気孔から空気通路内に吸入される。当該空気は、放熱フィンと熱交換した後、排気孔から筐体外に排出される。マット本体の温度は温度センサによって検知され、温度センサが検知した温度に基づいて制御回路が熱電変換素子と送風機を制御する。その結果、マット本体が所定温度に維持され、マット本体上のペットに対して冷感又は温感を与えることができる。
【先行技術文献】
【特許文献】
【０００４】
【特許文献１】特開平０７−３２２７８５号公報
【発明の概要】
【発明が解決しようとする課題】
【０００５】
特許文献１のペット用マットは、熱電変換素子によるマット本体の過冷却または過熱を抑制するために、温度センサや制御回路を備えている。したがって、装置構成が複雑で製造コストが高い。
また、特許文献１に開示されたペット用マットは、ペットに冷感又は温感を与える機能を有しているが、このようなペット用マットが他の機能（例えば、消臭）を併せ持っていれば、商品の魅力が更に向上する。その場合、簡素な構造で、ユーザーの希望に応じた機能を容易に付加できるようにすることが望ましい。
【０００６】
本発明は、上記課題に鑑みてなされたものであり、簡素な構造で、ペットに冷感または温感を与えるマット本体の過冷却または過熱を抑制できるとともに、ユーザーの希望に応じた機能を容易に付加することができるペット用マットを提供することを目的とする。
【課題を解決するための手段】
【０００７】
上記課題を解決するため、本発明では以下の技術的手段を講じている。
即ち、第１の発明に係るペット用マットは、熱伝導性を有するマット本体４と、前記マット本体４を支持する筐体１１と、前記筐体１１内に空気を供給する給気装置５と、前記筐体１１に設けられた機能付加部材保持部１３ｅとを備えている。前記筐体１１は、前記マット本体４の下方に配置された空気通路１２ｍ〜１２ｒと、前記空気通路１２ｍ〜１２ｒの一端と前記筐体１１外の空間とを連通させる吸気孔１４と、前記空気通路１２ｍ〜１２ｒの他端と前記筐体１１外の空間とを連通させる排気孔１５とを有している。前記給気
装置５は、前記筐体１１外の空気を前記吸気孔１４から前記筐体１１内に吸入して前記空気通路１２ｍ〜１２ｒに供給するとともに、前記排気孔１５を介して前記筐体１１外に排出する。前記空気通路１２ｍ〜１２ｒは、前記給気装置５から供給される空気を前記マット本体４に接するように案内する。前記機能付加部材保持部１３ｅは、前記空気通路１２ｍ〜１２ｒに供給される空気に所定の機能を付加する機能付加部材１６を着脱可能に保持する。
【０００８】
また、第２の発明に係るペット用マットでは、前記機能付加部材保持部１３ｅが前記マット本体４の側方に配置されている。
また、第３の発明に係るペット用マットでは、前記給気装置５が前記マット本体４の側方に配置されている。
また、第４の発明に係るペット用マットでは、前記筐体１１は、上面が開口した凹部１２ｓと、前記凹部１２ｓの底面に立設されたリブ１２ｅ〜１２ｋとを有している。前記リブ１２ｅ〜１２ｋは、前記マット本体４の下面を受け止め支持するとともに、前記マット本体４の下面と前記凹部１２ｓの内面との間に複数の前記空気通路１２ｍ〜１２ｒを区画形成している。
【０００９】
また、第５の発明に係るペット用マットは、前記マット本体４の上面を覆うとともに熱伝導性を有する柔軟なカバーを備えている。
【発明の効果】
【００１０】
第１の発明に係るペット用マットによれば、簡素な構造で、ペットに冷感または温感を与えるマット本体の過冷却または過熱を抑制できるとともに、ユーザーの希望に応じた機能を容易に付加することができる。
第２の発明に係るペット用マットによれば、マット本体が設けられた部位の高さを低くすることができるため、ペットのマット本体への乗り降りが容易になる。
【００１１】
第３の発明に係るペット用マットによれば、マット本体が設けられた部位の高さを低くすることができるため、ペットのマット本体への乗り降りが容易になる。
第４の発明に係るペット用マットによれば、部品点数を少なくすることができるため、製造コストが安価になる。また、空気通路が１つの場合と比べて、空気流をマット本体の全体に亘ってより均一に接触させることができるため、マット本体の放熱性が向上する。
【００１２】
第５の発明に係るペット用マットによれば、ペットがマット本体に直接接触しないため、ペットに快適感を与えることができる。
【図面の簡単な説明】
【００１３】
【図１】本発明の一実施形態の斜視図である。
【図２】図１のＩＩ−ＩＩ線断面図である。
【図３】図１のペット用マットの後端側の端面図である。
【図４】図１のペット用マットの前端側の端面図である。
【図５】図１のペット用マットのベースの斜視図である。
【図６】図１のペット用マットから蓋を取り外した状態を示す斜視図である。
【発明を実施するための形態】
【００１４】
以下、本発明に係るペット用マットの実施形態を図面に基づき詳細に説明する。図１〜図６において、Ｘ方向を前方向、Ｙ方向を右方向、Ｚ方向を上方向として説明する。
図１及び図２に示すように、ペット用マット１は段付きの板状で、平面視矩形状の支持部２と、その後端に連設された平面視台形状の送風部３とを備えている。支持部２の高さＨ１は、送風部３の高さＨ２よりも低く、ペットＰの乗り降りが容易な値（例えば、３０
ｍｍ以下）に設定されている。
【００１５】
支持部２は、ペットＰを支持するマット本体４を有する。マット本体４はプレート状で、ペットＰの重量によって変形しにくく、且つ熱伝導性に優れた材料（例えば、厚さ０．５ｍｍのアルミニウム板）によって形成されている。
送風部３は、給気装置としての送風機５と、フィルター６と、トランス（図示せず）と、回路基板（図示せず）と、電気コード７と、プラグ８と、スイッチ９と、蓋１０とを有している。
【００１６】
支持部２の筐体と送風部３の筐体は、１つの筐体１１によって形成されている。筐体１１の後端には格子状の吸気孔１４（図３参照）が形成され、前端には横長スリット状の排気孔１５（図４参照）が形成されている。筐体１１は合成樹脂等で形成され、ベース１２と、ベース１２の上部に着脱自在のカバー１３とを有している。
図５に示すように、ベース１２は、平面視矩形状の第１領域１２ａと、その後端に連設された平面視台形状の第２領域１２ｂとを有している。なお、符号Ｂは第１領域１２ａと第２領域１２ｂの境界線を表している。
【００１７】
第１領域１２ａと第２領域１２ｂの外周に沿って周壁１２ｃが立設されており、上面が開口した浅い凹部１２ｓが形成されている。ベース１２の前端側において、周壁１２ｃの左右方向中央部に切欠部１２ｄが形成されている。切欠部１２ｄは、周壁１２ｃの上端縁から下方に向けて切り欠かれている。凹部１２ｓの底面には複数の板状のリブ１２ｅ〜１２ｋが立設されている。リブ１２ｅ〜１２ｋは、前後に延びるとともに、左右方向に間隔をおいて配置されている。
【００１８】
リブ１２ｅ〜１２ｋは、マット本体４の下面を受け止め支持するとともに、マット本体４の下面と凹部１２ｓの内面との間に複数の空気通路１２ｍ〜１２ｒを区画形成している。空気通路１２ｍ〜１２ｒは、マット本体４の下方に配置されるとともに、マット本体４の下面と略平行に延びている。空気通路１２ｍ〜１２ｒの一端は吸気孔１４を介して筐体１１外の空間と連通し、空気通路１２ｍ〜１２ｒの他端は排気孔１５を介して筐体１１外の空間と連通している。
【００１９】
リブ１２ｅ〜１２ｋはベース１２に一体成形されるとともに、マット本体４を支持する部材と、空気通路１２ｍ〜１２ｒを区画形成する部材とを兼ねているため、ペット用マット１の部品点数を少なくすることができ、且つ製造コストを安価にすることができる。
また、複数の空気通路１２ｍ〜１２ｒは、空気流の流れ方向（Ｘ方向）に直交する方向（Ｙ方向）に並んでいるため、空気通路が１つの場合と比べて、空気流をマット本体４の下面の略全体に亘ってより均一に接触させることができる。したがって、マット本体４を効率よく放熱させることができる。
【００２０】
図６に示すように、カバー１３は段付き状に形成され、上面に矩形状の開口部１３ａを有する。開口部１３ａの開口面積はマット本体４の上面の面積よりも若干小さく、開口部１３ａの全面がマット本体４の上面に対向している。
カバー１３の上面の角部には傾斜面１３ｆが形成されている。傾斜面１３ｆは、カバー１３の上面から外周に向かって下方に傾斜している。このような傾斜面１３ｆを設けることで、ペットＰが支持部２に乗り降りする際に脚が引っ掛かりにくくなる。
【００２１】
カバー１３の前端面の左右方向中央部には切欠部１３ｇが形成されている。切欠部１３ｇは、カバー１３の前端面の下端縁から上方に向かって切り欠かれている。切欠部１３ｇとベース１２の切欠部１２ｄによって排気孔１５が形成されている。
カバー１３の後端側の上面には収納凹部１３ｂが形成されている。収納凹部１３ｂは、
送風機５、フィルター６、及び機能付加部材１６（後述）を上方から着脱可能に形成されている。収納凹部１３ｂの上面は蓋１０（図１参照）によって開閉される。
【００２２】
蓋１０は、後端部がくびれて平面視瓶状の形状を呈しており、後端部の左右両端に弾性変形可能な係合部１０ａが設けられている。収納凹部１３ｂの後端側には、係合部１０ａに係脱可能な左右一対の被係合部１３ｃが設けられている。係合部１０ａと被係合部１３ｃによって、蓋１０がカバー１３に着脱可能に固定される。
収納凹部１３ｂの前側には、蓋１０の側端部を受け止め支持する左右一対の段部１３ｄが設けられている。一対の段部１３ｄの側面と収納凹部１３ｂの前後の端面によって凹状の機能付加部材保持部１３ｅが形成されている。機能付加部材保持部１３ｅは、吸気孔１４と空気通路１２ｍ〜１２ｒに連通している。
【００２３】
送風機５は、電気コード７を介して供給される電力によって駆動され、筐体１１内に空気を供給する。すなわち、送風機５は、筐体１１外の空気を吸気孔１４から筐体１１内に吸入して空気通路１２ｍ〜１２ｒに供給するとともに、排気孔１５を介して筐体１１外に排出する。
空気通路１２ｍ〜１２ｒを通過する空気流はマット本体４と熱交換する。マット本体４はペットＰの熱を吸収してペットＰに冷感を与える。マット本体４が吸収した熱は空気通路１２ｍ〜１２ｒを通過する空気流によって放熱されるため、マット本体４の温度の上昇が抑制される。したがって、マット本体４はペットに冷感を与え続けることができる。
【００２４】
なお、マット本体４は空気流によって冷却または加熱されるため、著しく低温または高温になり難く、マット本体４の過冷却または過熱を抑制することができる。
フィルター６は、ペットの毛等の塵埃が送風機５に巻き込まれるのを抑制する。フィルター６として、例えば、換気扇やレンジフード等に用いられる不織布製のものを用いることができる。
【００２５】
電気コード７の一端はスイッチ９を介してトランスに接続され、他端はプラグ８に接続されている。プラグ８は商用電源のコンセントに接続される。スイッチ９をＯＮにすると送風機５が回転し、スイッチ９をＯＦＦにすると送風機５が停止する。
なお、電気コード７は、ペットの噛み付きによって破損しないように、螺旋管によって被覆することが好ましい。当該螺旋管として、例えば、塩化ビニル等の合成樹脂製の線状体を螺旋状に巻回したものを用いることができる。
【００２６】
機能付加部材保持部１３ｅは機能付加部材１６を着脱可能に保持する。送風機５が吸入した空気は、機能付加部材１６の周囲または内部を通過する。その際、機能付加部材１６から当該空気に所定の機能が付加される。その後、当該空気は空気通路１２ｍ〜１２ｒに供給される。ユーザーは、機能付加部材保持部１３ｅに保持させる機能付加部材１６を任意に選択することができる。したがって、ユーザーの希望に応じた機能を当該空気に容易に付加することができる。
【００２７】
例えば、機能付加部材１６が保冷剤の場合には、空気通路１２ｍ〜１２ｒに供給される空気が機能付加部材１６によって冷却されるため、当該空気によるマット本体４の冷却効果を更に高めることができる。当該保冷剤として、例えば、水と高吸水性樹脂（例えば、ポリアクリル酸ナトリウム）を主成分とするものを用いることができる。
機能付加部材１６が発熱剤の場合には、空気通路１２ｍ〜１２ｒに供給される空気が機能付加部材１６によって加熱され、当該空気によってマット本体４が温められる。したがって、マット本体４上のペットＰに温感を与えることができる。当該発熱剤として、例えば、酸化カルシウムとアルミニウムを主成分とするものを用いることができる。
【００２８】
機能付加部材１６が消臭剤の場合には、ユーザーがペットの臭いを感じにくくなるため、快適性が向上する。
機能付加部材１６がマイナスイオン発生部材の場合には、マイナスイオンが有する効果（ストレス軽減、成長促進等）をペットＰに与えることができる。
機能付加部材１６が、水を含浸させた吸水部材の場合には、吸水部材に含浸させた水が蒸発する際に空気中の潜熱を奪うため、ペットＰにより多くの冷感を与えることができる。
【００２９】
なお、機能付加部材保持部１３ｅは、複数種類の機能付加部材１６を同時に保持することもできる。したがって、空気通路１２ｍ〜１２ｒに供給される空気に複数の機能を同時に付加することもできる。
本実施形態では、機能付加部材保持部１３ｅ及び送風機５がマット本体４の一側方（後方）に配置されているので、支持部２の高さＨ１（図２参照）を低くすることができる。したがって、ペットＰの支持部２への乗り降りが容易であるとともに、ペット用マット１がコンパクトで嵩張らず、すっきりとした視覚的印象をユーザーに与えることができる。
【００３０】
また、ペット用マット１は、熱電変換素子、温度センサ、放熱フィン、及び制御回路等を備えていないため、特許文献１のペット用マットと比べて、構造が簡素で、製造コストが安価である。
以上、本発明の具体的な実施形態を説明したが、上記実施形態はすべての点で例示であって制限的なものではないと考えられるべきであり、本発明の要旨を逸脱しない範囲で上記実施形態に種々の改変を施すことができる。
【００３１】
例えば、上記実施形態では、筐体が複数の空気通路を備えている場合について説明したが、筐体が備える空気通路は１つでもよい。
また、上記実施形態では、給気装置が送風機である場合について説明したが、本発明のペット用マットは、送風機以外の給気装置（例えば、空気通路内を負圧吸引して空気流を発生させる吸引装置）を備えていてもよい。なお、給気装置が吸引装置の場合には、排気孔の近傍に配置されることが望ましい。
【００３２】
また、上記実施形態では、機能付加部材保持部がマット本体の一側方に配置されているが、機能付加部材保持部をその他の位置（例えば、マット本体の下方）に配置することもできる。
また、上記実施形態では、給気装置がマット本体の一側方に配置されているが、給気装置をその他の位置（例えば、マット本体の下方）に配置することもできる。
【００３３】
また、熱伝導性を有する柔軟なカバーによってマット本体の上面を覆うようにしてもよい。その場合、ペットがアルミニウム製等の硬いマット本体に直接接触しないため、ペットに快適感を与えることができる。当該カバーとして、例えば、シリコンゴム製のカバーを用いることができる。
また、給気装置による給気量を調節可能にしてもよい。その場合、給気量を手動で調節するようにしてもよいし、制御システムで自動的に調節するようにしてもよい。
【００３４】
後者の場合には、例えば、ペット用マットが、マット本体の温度を検知する温度センサと、当該温度センサが検知した温度に基づいて、給気装置による給気量を制御する制御回路とを備えるように構成することができる。また、ペット用マットが、タイマーと、当該タイマーが計測した時間に基づいて、給気装置による給気量を制御する制御回路とを備えるように構成することもできる。
【００３５】
また、空気通路内を流通する空気流をマット本体の上面側に向けて噴出させる空気噴出
孔を設けてもよい。この場合、空気噴出孔から噴出した空気流は、マット本体のうち、特に温度が高い上面に接するため、マット本体を効果的に冷却できる。また、空気噴出孔から噴出した空気流はペットにも吹き付けられるため、ペットにより多くの快適感を与えることができる。この空気噴出孔はマット本体に設けてもよい。その場合、空気流とマット本体の接触触積が増加するため、空気流によるマット本体の冷却又は加熱効果が向上する。なお、通気性を有する多孔質部材によってマット本体を形成し、多孔質部材が有する多数の微細な孔を空気噴出孔としてもよい。その場合、ペットの脚が空気噴出孔に引っ掛かるのを抑制することができる。
【００３６】
また、上記実施形態では、商用電源から供給される電力によって吸気装置を駆動するようにしているが、乾電池や充電池から供給される電力によって吸気装置を駆動してもよい。
【符号の説明】
【００３７】
１    ペット用マット
４    マット本体
５    送風機（給気装置）
１１    筐体
１２ｅ〜１２ｋ  リブ
１２ｍ〜１２ｒ  空気通路
１２ｓ  凹部
１３ｅ  機能付加部材保持部
１６  機能付加部材
【図１】
2016093137.tif 000003
【図２】
2016093137.tif 000004
【図３】
2016093137.tif 000005
【図４】
2016093137.tif 000006
【図５】
2016093137.tif 000007
【図６】
2016093137.tif 000008